(57)【要約】【課題】見た目にも美しく、一見どこから内容物を入れたかわからなくして、需要者に興味を持たせる竹筒容器を提供するものである。【解決手段】上下一対の節間の閉塞空間に内容物が封入されてなる竹筒容器１において、一方の節１４の近傍であって該節１４よりも小口１１側における外周壁面１５に外口を有する一方前記閉塞空間に臨む内周壁面に内口を有する内容物注入孔より内容物が前記閉塞空間内に注入され、該内容物注入孔の外口が竹製の栓体により密封されるとともに、該内容物注入孔の外口と前記栓体の後端部の両方が前記外周壁面から前記一方の節の外方空間に向けて貫通穴６１を形成することにより削取され、この削取により前記栓体の後端部における削取面５３が前記貫通穴の内面６２と同化されたことによって、栓体の位置を一見して見えないようにして、どこから内容物を入れたのかという不思議さを演出させる。【選択図】図３
2006232346.tif 000002
【特許請求の範囲】
【請求項１】
上下一対の節間の閉塞空間に内容物が封入されてなる竹筒容器において、
一方の節の近傍であって該節よりも小口側における外周壁面に外口を有する一方前記閉塞空間に臨む内周壁面に内口を有する内容物注入孔より内容物が前記閉塞空間内に注入され、該内容物注入孔の外口が竹製の栓体により密封されるとともに、該内容物注入孔の外口と前記栓体の後端部の両方が前記外周壁面から前記一方の節の外方空間に向けて貫通穴を形成することにより削取され、この削取により前記栓体の後端部における削取面が前記貫通穴の内面と同化されたことを特徴とする竹筒容器。
【請求項２】
上下一対の節間の閉塞空間に内容物が封入されてなる竹筒容器の製造方法であって、
一方の節の近傍であって該節よりも小口側における外周壁面に外口を有する一方前記閉塞空間に臨む内周壁面に内口を有する内容物注入孔を穿設し、この内容物注入孔より内容物を前記閉塞空間内に注入したのち、該内容物注入孔内にその外口から竹製の栓体を嵌入して該内容物注入孔を密封し、次いで栓体の前記外口から突出している部分を切除するとともに、内容物注入孔の外口の部位において前記外周壁面から前記一方の節の外方空間に向けて貫通穴を形成することにより、前記栓体の後端部における削取面を前記貫通穴の内面と同化させることを特徴とする竹筒容器の製造方法。
【請求項３】
前記貫通穴に吊り下げ紐又は商品ラベルを有する紐が挿通されたことを特徴とする請求項１に記載の竹筒容器。
【請求項４】
前記内容物は液体又は粉体又は粒体のいずれかである請求項１又は３に記載の竹筒容器。
【請求項５】
前記貫通穴を形成したのち該貫通穴に吊り下げ紐又は商品ラベルを有する紐を挿通することを特徴とする請求項２に記載の竹筒容器の製造方法。
【発明の詳細な説明】
【技術分野】
【０００１】
本発明は、容器及び容器の製造方法に関し、特に竹筒を用いた容器及び容器の製造方法に関する。
【背景技術】
【０００２】
竹は、防腐効果及び特有の美観があることから、従来から、容器として用いられている。例えば、青竹の筒は、昔から防腐・殺菌の目的で、水筒などに使われている。
【０００３】
しかしながら、青竹の筒は、水を注ぎいれるために一端が開口しており、外気との接触があるので、水の長期保存には適していなかった。
【０００４】
そこで、青竹に小穴をあけ、そこから内容物を注入して、その後に、小穴を栓で塞ぎ密封することによって、外気との接触を遮断した竹筒の容器が提案されている（例えば、特許文献１参照）。
【０００５】
この竹筒の容器は、水を長期間に亘って保存ができ、また、その分、青竹の成分を水に溶け込ませることができるので、より風味豊かな水を造りだすという効果もある。
【０００６】
また、この竹筒の容器は、小穴に栓をしたときに突出する部分が、竹筒の切断面にあわせて切り落とされている。このため、栓を引き抜く等することができないため、竹筒の内容物を取り出すときは、竹筒自体を割って、または、竹の節を破り開ける等していた。このように、上記容器にあっては、内容物は竹を割らなければ取り出せないことから、需要者にとって興味を引く商品となっている。
【特許文献１】実願平６−３７１４３号公報
【発明の開示】
【発明が解決しようとする課題】
【０００７】
しかしながら、上記従来の容器にあっては、手にとって眺めると栓の切断面が見え、内容物をこの部分から注入したものであると簡単にわかってしまうため、この商品に対する興味が半減してしまい、需要者に対する訴求効果が低いといった不都合があった。
【０００８】
本発明は、こうした点に鑑みなされたものであり、その目的は、見た目にも美しく、一見どこから内容物を入れたかわからなくして、需要者に興味を持たせることのできる竹筒容器及びその製造方法を提供するものである。
【課題を解決するための手段】
【０００９】
上記課題を解決するために本発明に係る竹筒容器は、上下一対の節間の閉塞空間に内容物が封入されてなる竹筒容器において、一方の節の近傍であって該節よりも小口側における外周壁面に外口を有する一方前記閉塞空間に臨む内周壁面に内口を有する内容物注入孔より内容物が前記閉塞空間内に注入され、該内容物注入孔の外口が竹製の栓体により密封されるとともに、該内容物注入孔の外口と前記栓体の後端部の両方が前記外周壁面から前記一方の節の外方空間に向けて貫通穴を形成することにより削取され、この削取により前記栓体の後端部における削取面が前記貫通穴の内面と同化されたことを特徴とするものである。
【００１０】
また、本発明に係る竹筒容器の製造方法は、上下一対の節間の閉塞空間に内容物が封入されてなる竹筒容器の製造方法であって、一方の節の近傍であって該節よりも小口側における外周壁面に外口を有する一方前記閉塞空間に臨む内周壁面に内口を有する内容物注入孔を穿設し、この内容物注入孔より内容物を前記閉塞空間内に注入したのち、該内容物注入孔内にその外口から竹製の栓体を嵌入して該内容物注入孔を密封し、次いで栓体の前記外口から突出している部分を切除するとともに、内容物注入孔の外口の部位において前記外周壁面から前記一方の節の外方空間に向けて貫通穴を形成することにより、前記栓体の後端部における削取面を前記貫通穴の内面と同化させることを特徴とするものである。
【００１１】
このように、竹製の栓体により密封した内容物注入孔の外口の部位において外周壁面から一方の節の外方空間に向けて貫通穴を形成することにより、栓体の後端部における削取面を貫通穴の内面と同化させているため、栓体の位置がほぼ完全に隠蔽され、一見しただけでは栓体の位置が判然としなくなる。特に、栓体も竹製であるため、栓体の削取面と貫通穴の内面との同化の程度は極めて高いものとなる。これによって、需要者にとっては栓体の位置がわからないので、どこからどのようにして内容物を入れたのかという不思議さを演出させることができる。その結果、その商品に対して興味がそそられることになり、需要者の購買意欲を高めることができる。
【００１２】
また、上記の貫通穴に吊り下げ紐又は商品ラベルを有する紐を通すことが好ましい。これによって、貫通穴が存在することの不自然さをなくし、栓体の位置をカモフラージュすることができるので、より需要者に対する訴求効果を増大させることになる。
【００１３】
ここで、上記内容物としては、液体又は粉体又は粒体のいずれでもよい。液体としては、焼酎や日本酒などの酒類、または天然水をはじめとする各種の清涼飲料水、あるいは出し汁や液体調味料等が挙げられる。また、粉体や粒体としては、調味料、菓子、薬品等があげられるが、内容物はこれらの例に限るものではない。
【発明の効果】
【００１４】
本発明によれば、貫通穴を形成することにより栓体を貫通穴の内面に位置させるとともに、栓体の削取面を貫通穴の内面と同化させたことによって、栓体の位置を一見しただけでは見えないようすることができる。これによって、需要者にとっては、栓体の位置がわからないので、どこから内容物を入れたのかという不思議さを演出させることができる。その結果、需要者はその商品に対して興味がそそられることになり、需要者の購買意欲を高めることができる。
【００１５】
また、貫通穴に吊り下げ紐やラベルをつけた紐を通すことによって、さらに、貫通穴が存在することの不自然さをカモフラージュすることができるので、さらに、栓のありかがわからないものとなり、不可思議さ増大させ、これによって、需要者を惹きつけ、需要者に対する高い訴求効果を得ることができる。
【発明を実施するための最良の形態】
【００１６】
以下、本発明の実施の形態について、図を参照して説明する。
【００１７】
図１は、本発明に係る竹筒容器の一実施形態を示す斜視図、図２(a)乃至(g)はその製造方法を示す工程図、図３はその貫通穴部分を拡大して示す部分斜視図である。
【００１８】
この竹筒容器１は、上下一対の節１４，１４間の閉塞空間１７に内容物１００が封入されてなるものであり、一方の節１４の近傍であってこの節１４よりも小口１１側における外周壁面１５に外口３１を有する一方閉塞空間１７に臨む内周壁面１６に内口３２を有する内容物注入孔３３より内容物１００が閉塞空間１７内に注入され、内容物注入孔３３の外口３１が竹製の栓体５１により密封されるとともに、内容物注入孔３３の外口３１と栓体５１の後端部５２の両方が外周壁面１５から一方の節１４の外方空間９０に向けて貫通穴６１を形成することにより削取され、この削取により栓体５１の後端部における削取面５３が貫通穴６１の内面６２と同化されたものである。
【００１９】
上記貫通穴６１には、商品ラベル８１を有する紐８２が挿通されている。また、小口１１は斜めに形成されているとともに、その頂部１２の内面には注ぎ溝１３が形成されている。
【００２０】
上記内容物１００としては、液体又は粉体又は粒体のいずれでもよい。液体としては、焼酎や日本酒などの酒類、または天然水をはじめとする各種の清涼飲料水、あるいは出し汁や液体調味料等が挙げられる。また、粉体や粒体としては、調味料、菓子、薬品等があげられるが、内容物はこれらの例に限るものではない。
【００２１】
このようになる竹筒容器１から内容物１００を取り出すには、適当な器具を用いて前記一方の節１４の一部に穴を形成するか又はその節１４そのものを抜くなどすればよい。一般に、竹の節は抜き易いものであるため、内容物の取り出しにあたって苦労することはない。
【００２２】
次に、上記竹筒容器１の製造方法について、主に図２を参照して説明する。
【００２３】
まず、図２(a)に示すように、一方の節１４の近傍であってこの節１４よりも小口１１側における外周壁面１５に下地溝３０を、例えば小径のドリルや錐等の工具を用いて形成する。この下地溝３０は、後に行う内容物注入孔３３の穿設作業を容易にするために形成するものであり、必ずしも行う必要はない。
【００２４】
上記下地溝３０が形成できたならば、図２(b)に示すように、この下地溝３０から閉塞空間１７に向けて内容物注入孔３３を穿設する。これにより一方の節１４の近傍であってこの節１４よりも小口１１側における外周壁面１５に外口３１を有する一方閉塞空間１７に臨む内周壁面１６に内口３２を有する内容物注入孔３３が形成される。
【００２５】
次に、図２(c)に示すように、この内容物注入孔３３より内容物（この実施形態では液体）１００を閉塞空間１７内に適当な器具２００を用いて注入する。
【００２６】
所定量の内容物１００を注入したならば、図２(d)に示すように、内容物注入孔３３内にその外口３１から竹製の栓体５１、例えば竹串を嵌入して内容物注入孔３３を密封する。このとき、栓体５１の嵌入深さは、内容物１００が内容物注入孔３３より漏出するのを防止し得る範囲内で任意である。
【００２７】
内容物注入孔３３の密封が完了したならば、図２(e)に示すように、下地溝３０から突出している栓体５１の後端部５２を切除する。この切除は、器具を用いた切断によるものであっても、あるいは単なる折り取りによるものであってもよい。
【００２８】
次に、図２(f)に示すように、下地溝３０、つまり内容物注入孔３３の外口３１の部位において、外周壁面１５から一方の節１４の外方空間９０に向けて貫通穴６１を形成する。この貫通穴６１は後に行う紐通しが容易に行える程度の径のものでよい。なお、図示例では節１４と略平行に貫通穴６１を形成しているが、小口１１の頂部１２に向かって斜めに貫通穴６１を形成してもよい。
【００２９】
そして最後に、貫通穴６１に商品ラベル８１を有する紐８２を通し、完成する。なお、貫通穴６１に通すものは、商品ラベル８１を有する紐８２に限らず、単なる吊り下げ紐８２であってよい。
【００３０】
以上のようにして製造された竹筒容器１は、竹製の栓体５１により密封した内容物注入孔３３の外口の部位において外周壁面１５から一方の節１４の外方空間９０に向けて貫通穴６１を形成することにより、図３に示すように、栓体５１の後端部５２における削取面５３を貫通穴６１の内面６２と同化（削取面５３を図中破線で示している）させているため、栓体５１の位置がほぼ完全に隠蔽され、一見しただけでは栓体５１の位置が判然としなくなる。特に、栓体５１も竹製であるため、栓体５１の削取面５３と貫通穴６１の内面６２との同化の程度は極めて高いものとなる。これによって、需要者にとっては栓体５１の位置がわからないので、どこからどのようにして内容物を入れたのかという不思議さを演出させることができる。
【００３１】
また、貫通穴６１に吊り下げ紐又は商品ラベルを有する紐８２を通した場合は、貫通穴６１が存在することの不自然さがなくなり、栓体５１の位置をカモフラージュすることができるので、より需要者に対する訴求効果を増大させることになる。
【産業上の利用可能性】
【００３２】
本発明の竹筒容器は、飲料容器など、主に食品関係の容器として活用できる。
【図面の簡単な説明】
【００３３】
【図１】本発明に係る竹筒容器の一実施形態を示す斜視図である。
【図２】本発明に係る竹筒容器の製造方法の一実施形態を示す工程図である。
【図３】図１に示す竹筒容器の貫通穴部分を拡大して示す部分斜視図である。
【符号の説明】
【００３４】
１      竹筒容器
１１    小口
１２    頂部
１３    注ぎ溝
１４    節
１５    外周壁面
１６    内周壁面
１７    閉塞空間
３１    外口
３２    内口
３３    内容物注入孔
５１    栓体
５２    後端部
５３    削取面
６１    貫通穴
６２    内面
８１    商品ラベル
８２    紐
９０    外方空間
１００    内容物
【図１】
2006232346.tif 000003
【図２】
2006232346.tif 000004
【図３】
2006232346.tif 000005